(57)【要約】【課題】移動が容易で、室内等でも安全に遊ぶことができるスプリング遊具を提供する。【解決手段】着座部１０と、この着座部１０を下方からスプリングを介して支持する板状の基台２０とを備えたスプリング遊具において、上記着座部１０を、着座部１０の横方向に並べて設置した２本のスプリング３０，３０により支持して、スプリング遊具の横方向に加わる荷重を受け止めて、上記着座部１０の運動を上下及び前後に限定し、ホッピング時の横揺れや傾きを規制するようにした。【選択図】　　　　図１
2004097320.tif 000002
【特許請求の範囲】
【請求項１】
着座部と、この着座部を下方からスプリングを介して支持する板状の基台とを備えたスプリング遊具において、上記着座部を支持するスプリングを少なくとも２本以上とするとともに、これらのスプリングを上記着座部の横方向に並べて設置したことを特徴とするスプリング遊具。
【請求項２】
上記スプリングを、上記着座部と上記基台とに着脱可能に取付けたことを特徴とする請求項１に記載のスプリング遊具。
【請求項３】
上記スプリングの取付位置を調整可能としたことを特徴とする請求項２に記載のスプリング遊具。
【請求項４】
上記着座部の左右の側面のそれぞれに、少なくとも外側が意匠板で覆われた側板を着脱可能に取付けたことを特徴とする請求項１〜請求項３のいずれかに記載のスプリング遊具。
【発明の詳細な説明】
【０００１】
【発明の属する技術分野】
本発明は、主に、子供がホッピングして遊ぶスプリング遊具に関するもので、特に、室内において使用されるスプリング遊具の構造に関する。
【０００２】
【従来の技術】
公園や遊園地などには、ブランコやすべり台などとともに、スプリング上の座椅子に乗ってホッピングして遊ぶスプリング遊具が設置されている。このようなスプリング遊具は、地中に埋設された基台から地上に突出するように取付けられた１本のスプリングの上部に子供が腰掛ける座椅子を設けたもので、子供は上記座椅子に乗って、主に、上，下方向にホッピングして遊ぶことができる。
【０００３】
【発明が解決しようとする課題】
しかしながら、従来のスプリング遊具は、通常、スプリングが１本であることから、座椅子は不規則な運動をするため、小さな子供の場合などはバランスを崩し易く転倒する危険があった。
また、上記不規則な運動をするスプリング遊具を強固に支持するためには、土台となる基台を大きく、かつ、重くしておく必要がある。そのため、上記スプリング遊具を地面に強固に固定しなければならないことから、室内用遊具として使用したり、移動したりすることが困難であった。
【０００４】
本発明は、従来の問題点に鑑みてなされたもので、移動が容易で、室内等でも安全に遊ぶことができるスプリング遊具を提供することを目的とする。
【０００５】
【課題を解決するための手段】
本発明の請求項１に記載のスプリング遊具は、座椅子となる着座部と、この着座部を下方からスプリングを介して支持する板状の基台とを備えたスプリング遊具であって、上記着座部を支持するスプリングを少なくとも２本以上とするとともに、これらのスプリングを上記着座部の横方向、すなわち、子供が着座部に正面を向いて腰掛けたときの左右方向（横方向）、に並べて設置したことを特徴とするものである。上記構造を採ることにより、着座部の運動は主に上下及び前後に限定されるので、小さな子供であっても安全に遊ぶことが可能となる。
また、請求項２に記載のスプリング遊具は、上記スプリングを、上記着座部と上記基台とに着脱可能に取付けるようにしたもので、これにより、上記スプリング遊具を基台とスプリング部と着座部とに分解できるので、移動が容易であるだけでなく、未使用時には分解しておくことが可能なので、場所を取らずに収納することが可能となる。
請求項３に記載のスプリング遊具は、上記スプリングの取付位置を調整可能としたもので、これにより、大きさの異なるスプリングを有するスプリング遊具を容易に作製することができる。
請求項４に記載のスプリング遊具は、安全性と遊具性とを高めるため、上記着座部の左右の側面のそれぞれに、少なくとも外側が意匠板で覆われた側板を着脱可能に取付けたものである。なお、上記側板間に手摺を渡し、子供がこれに捉まれるようにすれば、安全性を更に高めることができる。
【０００６】
【発明の実施の形態】
以下、本発明の実施の形態について、図面に基づき説明する。
図１〜図４は、本実施の形態に係わるスプリング遊具の構成を示す図で、各図において、１０は上面に子供が腰を下ろすクッション１１が取付けられた着座部、２０は上記着座部１０を、下方から、２本のスプリング３０，３０を介して支持する基台、４０，４０はこの基台２０上面の前方及び後方に取付けられたクッション材、４０’，４０’は上記基台２０と上記クッション材４０，４０との隙間に設置される、クッション材４０，４０とを、例えば、粘着テープなどで連結する連結マットである。
上記着座部１０は、詳細には、上記スプリング３０，３０の上側を係止する上部係止板３１を取付けるためのボルト挿入孔１２ａと、後述する上部係止板３１に設けられたスプリングクリップ取付孔３１ｂに対応する位置に設けられた逃げ穴１２ｂとが設けられた平板状の着座板１２と、この着座板１２の表面に設けられた補強用鉄板１３と、上記着座板１２の上部に位置するＬ字型の連結具１４，１４と下部に位置する平板状の連結具１５，１５を介して、上記着座板１２の左右のそれぞれの側面に取付けられた、上下方向に延長する木製の側板１６，１６と、この側板１６，１６の外側に取付けられた、動物等をかたどった意匠板１７と、上記補強用鉄板１３の上部で、上記側板１６，１６間にわたされた棒状の手摺１８とを備えており、上記補強用鉄板１３の上部に上記クッション１１が取付けられている。なお、上記側板１６は、詳細には、上記Ｌ字型の連結具１４の垂直片１４ａに取付ボルト１７ｍにより取付けられ、このＬ字型の連結具１４の水平片１４ｂが、上記平板状の連結具１５を取付けるためのボルト１５ｍ及びナット１５ｎにより、上記着座板１２に取付けられる。
また、本例では、上記意匠板１７を上記取付ボルト１７ｍにより上記側板１６に取付けるとともに、上記意匠板１７の上記側板１６への取付部となる凹部に、意匠補助板１７Ｃ（ここでは、クジラの腹部）を嵌め込むなどして、意匠板１７全体が一体となるようにしている。更に、手摺１８を、ボルト１８ｍにより、上記側板１６，１６の上部に取付けられた手摺取付部材１８Ｊに着脱可能に取付けている。
【０００７】
一方、基台２０は、長方形状の２枚の木板２１，２２をボルト２０ｍ，２０ｍにより重ねて成り、上側の木板２１には、上記スプリング３０，３０の下側を係止する下部係止板３２を取付けるためのボルト挿入孔２１ａと、後述する下部係止板３２に設けられたスプリングクリップ取付孔３２ｂに対応する位置に設けられた逃げ穴２１ｂとが設けられており、下側の木板２２の上記ボルト挿入孔２１ａと逃げ穴２１ｂとに対応する位置で、後述する下部係止板３２の取付け時に用いられる補強用鉄板２３が取付けられる位置には逃げ穴２２ａが設けられている。
そして、上記基台２０上面の前方と後方とにクッション材４０，４０を載せ、このクッション材４０，４０を上記連結マット４０’，４０’により連結する。
【０００８】
上記スプリング３０，３０は、図４にも示すように、それぞれ、スプリングクリップ３３を介して、上部係止板３１と下部係止板３２とに取付けられており、上記上部係止板３１と下部係止板３２には、それぞれ、ボルト３１ｍ，３２ｍを挿入するためのボルト挿入孔３１ａ，３２ａと、スプリングクリップ３３を取付けるためのスプリングクリップ取付孔３１ｂ，３２ｂとが形成されており、それぞれ、ボルト３１ｍ，ナット３１ｎ、及び、ボルト３２ｍ，ナット３２ｎにより、着座部１０の着座板１２と、基台２０の上側の木板２１とに取付けられる。詳細には、上部係止板３１は、ボルト３１ｍ，ナット３１ｎにより、着座板１２の上面の補強用鉄板１３を介して着座板１２に締結され、下部係止板３２は、ボルト３２ｍ，ナット３２ｎにより、上記木板２１の裏面側（木板２２側）の補強用鉄板２３を介して上記木板２１に締結される。
このとき、上記スプリングクリップ取付孔３１ｂ，３２ｂの長さを、上記スプリングクリップ３３の底部の長さよりも長く形成しておけば、スプリングクリップ３３の取付位置を調整可能とすることができる。
【０００９】
上記構成のスプリング遊具で遊ぶ場合には、使用者である子供は、着座部１０のクッション１１上に正面を向いて座って、上記手摺１８に捉まりながら自ら、着座部１０を揺らせ、上記スプリング遊具を上，下方向にホッピングして遊ぶ。本例のスプリング遊具は、着座部１０を、着座部１０の横方向に並べて設置した２本のスプリング３０，３０により支持して、スプリング遊具の横方向に加わる荷重を受け止めるようにしているので、上記着座部１０の運動を上下及び前後に限定でき、ホッピング時の横揺れや傾きを規制することができる。したがって、小さな子供であっても、バランスを崩して転倒することを防ぐことができ、安全に遊ぶことが可能となる。また、従来のスプリング遊具では、スプリングが１本であるため、着座部１０の全外周が可倒領域になり接触・衝突の危険があったが、本例では、横方向には転倒しないので、周りに人がいた場合でも安全である。更に、上記着座部１０に側板１６，１６が設けてあるので、子供が着座部１０上でバランスを崩した場合でも、横方向に転倒することを防ぐことができる。
なお、本例では、上記基台２０上面の前方及び後方にクッション材４０，４０が取付けてあるので、万が一、子供が着座部１０から転倒した場合の安全を確保することができる。
【００１０】
また、本発明のスプリング遊具では、着座部１０は不規則な運動をすることがないので、土台である基台２０を小型化でき設置スペースを最小限にすることができるだけでなく、土台構造が簡素化できるので、スプリング遊具を軽量化することができる。
また、本例では、上記スプリング３０，３０を、スプリングクリップ３３を介して、上部係止板３１と下部係止板３２とに取付け、この上部係止板３１と下部係止板３２とを、着座部１０と、基台２０とにそれぞれ着脱可能に取付けるようにしたので、上記スプリング遊具を基台２０とスプリング部と着座部１０とに分解したり、上記スプリング遊具を組み立てたりすることが容易となる。また、クッション材４０，４０及び連結マット４０’，４０’も取り外すことができ、手摺１８も手摺取付部材１８Ｊから取り外し可能であるだけでなく、意匠板１７と上記手摺取付部材１８Ｊとが取付けれられた側板１６，１６も上記着座部１０から取り外すことができるので、スプリング遊具の移動が容易であり、また、未使用時においても、場所を取らずに収納することができる。
更に、本例では、上記上部係止板３１と下部係止板３２とに形成されたスプリングクリップ取付孔３１ｂ，３２ｂの長さを、スプリングクリップ３３の底部の長さよりも長く形成し、スプリングクリップ３３の取付位置を調整可能としたので、大きさの異なるスプリングを有するスプリング遊具を容易に作製することができる。
【００１１】
【発明の効果】
以上説明したように、本発明によれば、着座部と、この着座部を下方からスプリングを介して支持する板状の基台とを備えたスプリング遊具において、上記着座部を支持するスプリングを少なくとも２本以上とするとともに、これらのスプリングを上記着座部の横方向に並べて設置するようにしたので、ホッピング時の横揺れや傾きを規制することができ、小さな子供であっても安全に遊ぶことができる。
【図面の簡単な説明】
【図１】本発明の実施の形態に係わるスプリング遊具の正面図である。
【図２】本実施の形態に係わるスプリング遊具の縦断面図である。
【図３】本実施の形態に係わるスプリング遊具の斜視図である。
【図４】本実施の形態に係わるスプリング遊具の要部構成を示す分解斜視図である。
【符号の説明】
１０　着座部、１１　クッション、１２　着座板、
１２ａ，２１ａ　ボルト挿入孔、１２ｂ，２１ｂ　逃げ穴、１３　補強用鉄板、
１４　Ｌ字型の連結具、１４ａ　垂直片、１４ｂ　水平片、
１５　平板状の連結具、１５ｍ　ボルト、１５ｎ　ナット、１６　側板、
１７　意匠板、１７Ｃ　意匠補助板、１７ｍ　取付ボルト、１８　手摺、
１８Ｊ　手摺取付部材、１８ｍ　ボルト、２０　基台、２０ｍ　ボルト、
２１　（上側の）木板、２２　（下側の）木板、２２ａ　逃げ穴、
２３　補強用鉄板、３０　スプリング、３１　上部係止板、
３１ａ，３２ａ　ボルト挿入孔、３１ｂ，３２ｂ　スプリングクリップ取付孔、
３１ｍ　ボルト、３１ｎ　ナット、３２　下部係止板、３２ｍ　ボルト、
３２ｎ　ナット、３３　スプリングクリップ、４０　クッション材、
４０’　連結マット。
【図１】
2004097320.tif 000003
【図２】
2004097320.tif 000004
【図３】
2004097320.tif 000005
【図４】
2004097320.tif 000006